(57)【要約】【課題】カーテンが強制的に引かれた際に確実に房掛けを自己解除し、また、度々の使用に際しても、引掛金具と球面部材の結合、及び弾性部材の両端の固定が確実になされる構成とする。【解決手段】開口側に凹球面座１０dを形成された取付金具１０を備え、弾性手段１３により常時前記凹球面１０dに張引されつつ回転自由に摺動する凸面１２aを有する中空半割り形状の球面部材１２を備え、該球面部材１２のほぼ中心を貫通し伸びるシャフト１５を介し、該球面部材１２と引掛部材１１をナット１７で確実に結合する構成とし、そして、前記弾性部材１３は夫々両端を前記シャフト１５の他端１５aにナット１８で固定されたバネ支持部材１４及び前記取付金具１０の背面に形成された肩部１０dとネジ１６で回転方向動きを固定されて付勢されていることを特徴とする自己解除房掛金具を提供する。【選択図】        図２
2007275207.tif 000002
【特許請求の範囲】
【請求項１】
電動カーテンの使用時及びカーテンを強制的に閉じた時に房掛けを自己解除できる房掛金具において、柱等に直接取り付けられ、房掛けの背部を形成し、且つ、開口側に凹球面座を形成された取付金具を備え、弾性手段により常時前記凹球面に張引されつつ回転自由に摺動する凸面を有する中空半割りの球面部材を備え、該球面部材のほぼ中心を貫通し伸びるシャフトを介し、該球面部材に固定され、且つ、カーテンの房を引掛けるための腕を有する引掛部材を備え、また、前記弾性部材は夫々両端を前記シャフトの他端に固定されたバネ支持部材及び前記取付金具の背面に形成された肩部でネジ止で回転方向動きを固定されて付勢されていることを特徴とする自己解除房掛金具。
【請求項２】
請求項１の中空半割り形状の球面部材に回転自由に当接する凹或いは凸球面を有し、且つ、弾性部材の一端を固定すべく取付金具に嵌合する受座部材を備えたことを特徴とする自己解除房掛金具。
【請求項３】
請求項１のシャフトの他端には割溝付きネジが形成され、該割溝に弾性部材の一端を縦断する方向に付設し、且つ、ナットにより該弾性部材の一端を確実に固定するシャフトを備えたことを特徴とする自己解除房掛金具。
【発明の詳細な説明】
【技術分野】
【０００１】
本発明は電動カーテンの使用時及びカーテンを強制的に閉じた時に房掛けを自己解除できる房掛金具に関する改良である。
【背景技術】
【０００２】
最近、電動カーテンが養護施設や病院で使用されてきている。これは、寝たきりでもリモコン操作（遠隔操作）でカーテンの開閉が自由にできるからである。しかしながら、そこにいる看護人とかお付の人は手でカーテンを開ける場合もあるし、カーテンを房で房掛金具に止めることもある。このようにカーテンが房掛けに止められた状態で電動カーテンのリモコンが操作され、このようなことが頻繁になると電動カーテンかカーテンが損傷する。
【０００３】
このようにカーテンが房掛けに止められた状態で電動カーテンのリモコンが操作された際にカーテンの房紐が自己解除されて、カーテンの開閉に支障をきたさない房掛金具が考案されている。
しかしながら、これらの房掛金具は充分満足いくものでなく３つの欠点がある。
１つは房掛金具の引掛部材が取付面から見て時計および反時計回りに回転するだけなので房紐の掛かり方如何では解除されないことが生じる。例えば、取付面に垂直に引かれた場合は解除されない。
２つ目は房紐が運悪くL字の引掛け部材の底部に掛かっている場合には、カーテンが引かれても引掛け部材を回転させることができなく、完全にロックしてしまう。
【特許文献１】特許公開２００４−２１６０７９    ３つ目は引掛部材と球面部材の固定が通常のねじ締結では、引掛部材の度々の回転の動きにより、ねじが緩みやすく、また、弾性部材の両端を回転、湾曲荷重に対し確実に固定することが困難であり、弾性部材がはずれ、結果として、房掛金具が破損に至る場合が多く、こうした不本意な自己房掛解除が行えなくことにより、電動カーテンのモータ焼付といった最悪のトラブルを引き起こす結果となる。
【特許文献２】特願２００６−０７８０６７
【０００４】
従って、特に養護施設や病院のように多くの健常者、身障者、お年寄りが電動カーテンを手引きしたり、リモコン操作したり、房掛けしたりしても確実に自己解除され、且つ、破損しない安全性の高い房掛金具が要求されている。
また、一般家庭でもカーテンを閉じる際に、房掛けを外さずに、カーテンを少し強く引くことで、房紐を解き、束ねられたカーテンを安全確実に閉じることが可能となり、日々の利便性も増すようなことも最近望まれている。
【発明の開示】
【発明が解決しようとする課題】
【０００５】
この様な問題解決のため、カーテンが強制的に引かれた際に確実に房掛けを自己解除し、また、度々の使用に際しても、引掛金具と球面部材の結合、及び弾性部材の両端の固定が確実になされ緩みなどを生じない構成とする。
【課題を解決するための手段】
【０００６】
開口側に凹球面座１０dを形成された取付金具１０を備え、弾性手段１３により常時前記凹球面１０dに張引されつつ回転自由に摺動する凸面１２aを有する中空半割り形状の球面部材１２を備え、該球面部材１２のほぼ中心を貫通し伸びるシャフト１５を介し、該球面部材１２と引掛部材１１をナット１７で確実に結合する構成とし、そして、前記弾性部材１３は夫々両端を前記シャフト１５の他端１５aにナット１８で固定されたバネ支持部材１４及び前記取付金具１０の背面に形成された肩部１０eとネジ１６で回転方向動きを確実に固定されて付勢されていることを特徴とする自己解除房掛金具を提供する。
【発明の効果】
【０００７】
以上説明したように、電動カーテン用のカーテンの房掛金具８に房紐の固定側６を取り付ける場合に、引掛部材１１を手前に引きつつ、左、もしくは右に回転させながら房の固定側紐６を引掛部材１１のL字底部に取付、その後、引掛部材１１を一旦開放すると腕１１ｂが固定側紐を閉塞し、どのように引張っても取り外せない状態にできる。
また、房４でカーテン３を束ね房紐５を引掛部材１１の引掛頭１１aに掛けると、房紐５は前記引掛部材１１の底部まで落ちることはなく腕１１bから上の比較的浅い箇所に引っかかることになる。また、引掛部材１１はカーテンが引かれた時のどの方向からの引張荷重に対しても傾斜することで、前記房紐５を速やかに自己解除することができる。
更に、前記中空半割り形状の球面部材１２を前記シャフト１５の肩部１５dと引掛部材１１を共にナット１７で締結することで前記球面部材の半球端１２bが前記引掛部材１１の窪み１１cに食い込み確実に固定される。そして、前記弾性部材１３は一端をネジ１６で確実に固定され、他端をバネ支持部材１４に溶接接合或いはナット締めで固定することで弾性部材１３の如何なる動きに対しても両端が確実に固定される。
【発明を実施するための最良の形態】
【０００８】
電動カーテンをリモコンで操作する場合は、セットで本房掛金具を使用し、カーテンを不本意に房紐で束ねる場合のリモコン操作に対しても安全を確保する。更に、束ねられたカーテンを少し強く引いて房掛を解除したいという通常の使い方をしたい場合にも本自己解除房掛金具を使用すると便利である。
【実施例１】
【０００９】
図１は電動カーテンと本発明の房掛金具を取り付けた状況を全体構成で示すものである。電動カーテン１は複数のランナ２を有しており、該ランナ２にカーテン３の上端がクリップ等で固定され、リモコン操作でカーテン３が開閉される。図１はカーテン３が開けられた位置で、カーテンの房４の紐５、６で柱７に取り付けられた房掛金具８により束ねられた状態を示す。房紐６は該房掛金具８の底部に常に掛けられ、房紐５はカーテンを束ねる際には該房掛金具８の上部に引掛けられる。
【００１０】
図２は本発明による房掛金具の実施例を断面図で示したものである。房掛金具８は取付金具１０、引掛部材１１、該引掛部材１１にシャフト１５を介しナット１７止めされる中空半割りの球面部材１２、該球面部材１２を常時張引側に付勢する弾性部材１３、及び、該弾性部材１３の一端を支承するバネ支持材１４で構成されている。前記取付金具１０は開口側に形成された凹球面座１０ｄを有し、前記球面部材１２に形成された凸面１２aが常時前記凹球面１０ｄに弾性部材１３により押圧されつつ全方向回転自由に摺動する構成となっている。また、前記中空半割り形状の球面部材１２を前記シャフト１５の肩部１５dと引掛部材１１を共にナット１７で締結することで前記球面部材の半球端１２bが前記引掛部材１１の窪み１１cに食い込み確実に固定される構成となっている。
そして、前記弾性部材１３は一端をネジ１６で房掛金具１０の肩部１０dに確実に固定され、他端をバネ支持部材１４の端部１４aに溶接で接合することで弾性部材１３の如何なる動きに対しても両端が確実に固定される構成となっている。また、該バネ支持材１４に形成されたメス側キー１４bは前記シャフト１５に形成されたオス側キー溝１５cで回転方向動きを規制されて嵌合され、且つ、ナット１８と前記シャフト１５の一端に形成されたネジ部１５aで前記バネ支持部材１４は前記シャフト１５に固定される構成となっている。従って、前記引掛部材１１と一体の前記球面部材１２が左右前後に回転しても、弾性部材１３の働きにより元の中立位置に復元する構成となっており、度々の動きに対しても各部位の固定は外れることがない。
更に、前記引掛部材１１はカーテンの房紐５、６を引掛けるための引掛頭１１aと分岐した腕１１bを有し、房掛けの背部１０ｂと該腕１１bの間に底部空間９aおよび上部開口部９ｂを形成する。
該空間９aには、房紐６の一端が常時掛けられ、前記上部開口部９bにはカーテンを束ねた後の房紐５が掛けられる構成となっている。
【００１１】
図３は本発明による房掛金具の他の実施例を断面図で示したものである。特に、房掛金具１０’の開口部に受座部材１９を分離して配設し、バネ支持部材をシャフトで兼用したことを特徴とする。該受座部材１９は中空半割り形状の球面部材１２’に回転自由に当接する凹或いは凸球面１９aを有し、且つ、取付金具の孔１０’hに嵌合するシリンダ部１９bを具備している。該シリンダ部１９bと房掛金具１０’の内径側に弾性部材１３’の一端が嵌合し、ネジ１６’で確実に固定される構成となっている。また、前記受座部材１９は、熱処理により硬化され、磨耗に対しても強くなるというメリットを有する。
また、シャフト１５’の他端に形成されたネジ部１５'aは溝部１５'bを有する。該溝１５'bにはコイルスプリング１３'の一端である曲がり部１３'aがA-A断面で示すように付設され、ナット１８'で確実に前記曲がり部１３'aが固定される。従って、コイルスプリング１３'は両端を規制されているため軸方向及び回転方向の動きに対して復元する作用を生じる構成となっている。
【図面の簡単な説明】
【００１２】
【図１】図１は電動カーテンと本発明の房掛金具を取り付けた状況を全体構成を示すものである。
【図２】本発明による房掛金具の実施例を断面図で示したものである。
【図３】本発明による房掛金具の他の実施例を断面図で示したものである。
【符号の説明】
【００１３】
１  電動カーテン  
２  ランナ  
３  カーテン  
４  房 
５  固定側房紐  
６  引掛側房紐  
７  柱  
８  房掛金具  
【図１】
2007275207.tif 000003
【図２】
2007275207.tif 000004
【図３】
2007275207.tif 000005